(57)【要約】      （修正有）【課題】手動による鼻毛カット器は、両手の指先を使用しなければならない不便さがあった。【解決手段】複数個の刃を形成した筒状の外刃１を設け、その外刃を内包し整合する刃１１を形成して設けた回転刃９に他端を嵌合し、一端に二重螺旋溝１４を形成するシャフト１３が設けられ、前記外刃を取付け、コイルバネ２０を内包し受け止め、前記シャフト１３の一端を通する元部５を設け、その前記元部５を取付けるに設けた筒は前記シャフト１３に挿入するに設けたリターンコイルバネ２１を内包し、且つ、前記筒の内周壁に凹溝１８、凹溝１９が形成され、その前記筒の凹溝１８、凹溝１９に対応して滑る凸物、凸物を外周壁に形成し設けたリング２２を内包し、その前記リング２２の内周壁に前記シャフト１３の二重螺旋溝１４に対応して滑る凸物、凸物を形成する。筒は一端を突出する穴を後部壁面に形成する。【選択図】図８
2009011789.tif 000002
【特許請求の範囲】
【請求項１】
複数個の刃３を形成した筒状の外刃１を設け、その外刃１を内包し整合する刃１１を形成して設けた回転刃９に他端を嵌合し、一端に二重螺旋溝１４を形成するシャフト１３が設けられ、前記外刃１を取付け、且つ、前記シャフト１３に挿入するに設けたコイルバネ２０を内包し受け止め、前記シャフト１３の一端を通する元部５を設け、その前記元部５を取付けるに設けた筒１５は前記シャフト１３に挿入するに設けたリターンコイルバネ２１を内包し、且つ、前記筒１５の内周壁に凹溝１８、凹溝１９が形成され、その前記筒１５の凹溝１８、凹溝１９に対応して滑る凸物２３、凸物２４を外周壁に形成し設けたリング２２を内包し、その前記リング２２の内周壁に前記シャフト１３の二重螺旋溝１４に対応して滑る凸物２５、凸物２６を形成する。また、前記筒１５は設た押棒２７の他端を内包し、一端を突出する穴１６を後部壁面に形成する。
上記の如く構成したことを特長とする鼻毛カット器。
【発明の詳細な説明】
【技術の分野】
【０００１】  本発明は、筒状の外刃に対応する回転刃を手動による鼻毛カット器に関する。
【背景技術】
【０００２】  従来の鼻毛カット器には、外刃に対応し内包する内刃（以下、回転刃）に捩り板とプッシュボタンを一体にし、捩り板に対応するガイド孔はガイド筒部により固定した構成のものがある（例えば、実用新案文献１参照）。
また、外側歯（以下、外刃）と外側筒を一体にして、その前記外刃に対応する内側歯（以下、回転刃）と内側筒を一体にした構成のものもある（例えば、特許文献１参照）。【０００３】  以下、図１４、図１５により従来の鼻毛カット器について説明する。図１４において、回転刃３２と捩り板３３とプッシュボタン３４の一体とその捩り板３３と固定したガイド筒部３６のガイド孔３５との捩り作用とリターンスプリング３７の反発力作用で、回転刃３２が前滑りしながら回転と後滑りしながら逆回転し、外刃３０の溝に入った鼻毛をカットするのである。また、図１５において、内側筒４２の一端を回転、逆回転することで回転刃４０が連動して、先３８と外刃３９と回転刃の間の溝に入った鼻毛をカットするのである。【０００４】  図１４の筒２９はガイド筒部３６、内筒３１の他端を内包する。また、図１５の外側筒４１は内側筒４２の他端を内包する。
【実用新案文献１】
実開昭６２−１５９８０２号  公報
【特許文献１】  特開２００６−６８５４８号  公報
【発明の開示】
【発明が解決しようとする課題】
【０００５】  以上述べた図１４では、回転刃３２が前滑りしながら回転と後滑りしながら逆回転をし、外刃３０の溝に入った鼻毛をカットするのであるが、外刃３０の溝に入った鼻毛が回転刃３２の溝に入りにくく、逆に回転刃３２によって鼻毛を押出す逆効果が多々出るのである。
また、図１５では、片手の指先だけでは回転刃４０を回転、逆回転をすることが出来ない構成であるため、両手の指先を使用しなければならない不便さがあるのである。【０００６】  本発明は、このような従来の構成が有していた問題を解決しようとするものであり、鼻毛を押出す逆効果や両手の指先を使用しなければならない不便さを解消することを目的とするのである。
【課題を解決するための手段】
【０００７】  そして、本発明は、上記目的を達成するために外刃に内包し整合する回転刃に他端を嵌合するシャフトの一端に二重螺旋溝を形成し、前記外刃を取付け、前記シャフトに挿入したコイルバネを内包して受け止め前記シャフトの一端を通する元部を設け、その前記元部を取付ける筒は前記シャフトに挿入したリタ−ンコイルバネを内包し、且つ、前記筒の内周壁は二筋の凹溝が対称に形成され、その前記二筋の凹溝に対応して後記リングの空回り防止作用をする二つの凸物を外周壁に形成したリングを内包し、その前記リングの内周壁に前記二重螺旋溝に対応して捻り作用を起こす二つの凸物を形成する。また、前記筒は押棒の他端を内包し、一端を突出する構成としたものである。【０００８】  上記課題解決手段による作用は次の通りである。即ち、片手の親指と中指でツマミの前後をはさみ、鼻毛を目指して鼻孔に差し入れることで、鼻毛は外刃と回転刃の溝に入り、人差し指で押棒を押すことでリングは押され、二重螺旋溝内をリング内周壁の二つの凸物の前滑りによる捻り作用と筒の内周壁の二筋の凹溝内をリング外周壁の二つの凸物の前滑りによる空回り防止作用の相互作用でリングは空回りせずにシャフトを回す。従って、シャフトの他端に嵌合する回転刃はコイルバネにより外刃に密着したまま回転し、溝に入っていた鼻毛をカットする。次に、残った他の鼻毛を探して外刃を動かし溝に入れ、押棒を緩めるとリタ−ンコイルバネの反発力でリングは凹溝と二重螺旋溝を後滑りして上記した逆相互作用でシャフトは逆回りし、回転刃は外刃に密着したまま逆回転をして溝に入っていた鼻毛をカットするのである。
【発明の効果】
【０００９】  上述したように本発明の手動による鼻毛カット器は、片手の指先だけで外刃に回転刃を密着したまま回転と逆回転を繰り返す鼻毛カット器を提供できる。
【発明の実施するための最良の形態】
【００１０】  以下、本発明の実施の形態を図１〜図１３に基ずいて説明する。
【実施例】
【００１１】１．図においては、１は外刃で砲弾型の外周壁と内周壁の後部寄りから先端まで経線状にハ型の８個の溝２を切り欠いて、その両サイドに刃３を形成し、後部内周壁に後記元部５のネジ６に着脱するネジ４を設ける。
２．前記外刃１のネジ４に着脱するネジ６を外周壁に形成し、後記シャフト１３を通し、後記コイルバネ２０を内包して受け止める内周壁が筒状で凸型の軸穴７と外周壁に後記筒１５のネジ１７に着脱するネジ８を形成する外周壁が凸型の元部５を設ける。
３．前記外刃１の内周壁に整合する外周壁に、前記溝２と整合するハ型の溝１０を８個を切り欠いて、その両サイドに刃１１を形成し、後記シャフト１３の他端を嵌合する軸穴１２を形成した回転刃９を設ける。
４．一端に二重螺旋溝１４を形成し、他端を前記回転刃９に嵌合するシャフト１３を設ける。
５．後記押棒２７の一端を突出するド−ナツ状の穴１６を後部壁面に、後部外周壁に板状のツマミ２８を形成し、後記リング２２の凸物２３と凸物２４を滑りながらリング２２の空回りを防止する凹溝１８と凹溝１９を対角線に中部内週壁から先部内週壁迄形成し、且つ、前記元部５のネジ８に着脱するネジ１７を先部内周壁に形成する筒１５を設ける。
６．前記元部５が内包し受け止めるコイルバネ２０と後記筒１５に内包し、後記リング２２に作用するリターンコイルバネ２１を設ける。
７．前記シャフト１３の二重螺旋溝１４内を滑りながら捻り作用で、シャフト１３に回転と逆回転を起こす棒状の凸物２３と凸物２４を二重螺旋溝１４に垂直する角度で内周壁に形成し、前記筒１５の凹溝１８内と凹溝１９内を滑りながら上記した作用をする棒状の凸物２５と凸物２６を外周壁に形成するリング２２を設ける。
８．一端は前記筒１５の穴１６に突出し、他端は前記リング２２の後部壁側面を押す中空の押棒２７を設ける。
９．前記回転刃９の軸穴１２に前記シャフト１３の他端を嵌合する。
１０．前記シャフト１３に前記コイルバネ２０を通して、前記元部５の軸穴７に挿入する。
１１．前記シャフト１３に前記リタ−ンコイルバネ２１を通してから、前記リング２２の凸物２３と凸物２４を二重螺旋溝１４内に挿入する。
１２．前記筒１５の凹溝１８内と凹溝１９内に前記シャフト１３に通した前記リング２２の凸物２５と凸物２６を挿入してから、ネジ１７を前記元部５のネジ８に取付ける。
１３．前記外刃１のネジ４を前記元部５のネジ６に取付ける。
１４．筒１５の凹溝１８内、凹溝１９内をリング２２が滑られる長さは、外刃１を元部５に取付けた時、外刃１の刃３と回転刃９の刃１１が重ね合う関係に設けられ、且つ、シャフト１３の二重螺旋溝のピッチと押棒２７の突出する一端と他端の長さは、回転刃９の回転角度が９０度になる関係に設ける。
１５．外刃１、回転刃９、コイルバネ２０、リターンコイルバネ２１は金属製で、元部５、シャフト１３、筒１５、リング２２は金属製、または、合成樹脂製で設ける。
上記の如く構成したことを特長とする鼻毛カット器。【００１２】  以下、上記構成の動作を説明する。先ず、片手の親指と中指でツマミの前後をはさみ、鼻孔の鼻毛を外刃と回転刃の溝に差し入れてから、人差し指で押棒の一端を押すことで他端はリング後部壁側面を押され、リングの外周壁の二つの凸物は筒の二筋の凹溝内を前滑り始める同時に内周壁の二つの凸物もシャフトの二重螺旋溝内を前滑り始めるが、上記したようにリング内周壁の二つの凸物とシャフトの二重螺旋溝との作用関係とリング外周壁の二つの凸物と筒内壁の二筋の凹溝との作用関係の相互作用関係により、リングは空回りせずにシャフトを回す同時に回転刃も回転し始め、溝に入っていた鼻毛をカットする。
押棒を目一杯押すと回転刃の回転も終わり、次に、人差し指を緩めるとリタ−ンコイルバネの反発力でリングは後滑りし始め上記した逆相互作用関係で凹溝と二重螺旋溝を後滑りしながらシャフトを逆に回す同時に回転刃は外刃に密着したまま逆回転をし、溝に入った鼻毛をカットする効果が得られるのである。
なを、実施態様として、１．ツマミをリング状にして筒の後部外周壁に形成する。２．外刃の外周壁に滑り止めのギザギザを形成する。３．外刃の刃先を一部分切り欠かないで少し残す等がある。
【図面の簡単な説明】
【００１３】
【図１】  図２の左側面図
【図２】  本発明の正面図
【図３】  図２の右側面図
【図４】  図２の平面図
【図５】  図２の下面図
【図６】  図２の後面図
【図７】  本発明を構成する一部品の平面図
【図８】  図４におけるＡ−Ａ線断面図
【図９】  本発明を構成する一部品の拡大正面図
【図１０】  図５におけるＢ−Ｂ線拡大断面図
【図１１】  本発明を構成する一部品の平面図
【図１２】  本発明を構成する一部品の平面図
【図１３】  本発明を構成する一部品の平面図
【図１４】  実用新案文献１の参照図
【図１５】  特許文献１の参照図
【符号の説明】
【００１４】１：外刃  ２：溝  ３：刃  ５：元部  ９：回転刃  １３：シャフト  １４：二重螺旋溝  １５：筒  １６：穴  １８：凹溝  １９：：凹溝  ２０：コイルバネ  ２１：リターンコイルバネ  ２２：リング  ２３：凸物  ２４：：凸物  ２５：凸物  ２６：凸物  ２７：押棒  ２８：ツマミ
【図１】
2009011789.tif 000003
【図２】
2009011789.tif 000004
【図３】
2009011789.tif 000005
【図４】
2009011789.tif 000006
【図５】
2009011789.tif 000007
【図６】
2009011789.tif 000008
【図７】
2009011789.tif 000009
【図８】
2009011789.tif 000010
【図９】
2009011789.tif 000011
【図１０】
2009011789.tif 000012
【図１１】
2009011789.tif 000013
【図１２】
2009011789.tif 000014
【図１３】
2009011789.tif 000015
【図１４】
2009011789.tif 000016
【図１５】
2009011789.tif 000017
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
複数個の刃３を形成した筒状の外刃１を設け、その外刃１が内包し整合する刃１１を形成して設けた回転刃９に他端を嵌合し、一端に二重螺旋溝１４を形成するシャフト１３が設けられ、前記外刃１を取付け、且つ、前記シャフト１３に挿入するに設けたコイルバネ２０を内包し受け止め、前記シャフト１３の一端を通する元部５を設け、その前記元部５を取付けるに設けた筒１５は前記シャフト１３に挿入するに設けたリタ−ンコイルバネ２１を内包し、且つ、前記筒１５の内周壁に凹溝１８、凹溝１９が形成され、その前記筒１５の凹溝１８、凹溝１９に対応して滑る凸物２３、凸物２４を外周壁に形成し設けたリング２２を内包し、その前記リング２２の内周壁に前記シャフト１３の二重螺旋溝１４に対応して滑る凸物２５、凸物２６を形成する。また、前記筒１５は設けた押棒２７の他端を内包し、一端を突出する穴１６を後部壁面に形成する。  上記の如く構成したことを特長とする鼻毛カット器。
【手続補正２】
【補正対象書類名】明細書
【補正対象項目名】０００３
【補正方法】変更
【補正の内容】
【０００３】  以下、図１４、図１５により従来の鼻毛カット器について説明する。図１４において、回転刃３２と捩り板３３とプッシュボタン３４の一体とその捩り板３３と固定したガイド筒部３６のガイド孔３５との捩り作用とリタ−ンスプリング３７の反発力作用で、回転刃３２が前滑りしながら回転と後滑りしながら逆回転し、外刃３０の溝に入った鼻毛をカットするのである。また、図１５において、内側筒４２の一端を回転、逆回転することで回転刃４０が連動して、先３８と外刃３９と回転刃４０の間の溝２と溝１０に入った鼻毛をカットするのである。
【手続補正３】
【補正対象書類名】明細書
【補正対象項目名】００１１
【補正方法】変更
【補正の内容】
【００１１】１．図においては、１は外刃で砲弾型の外周壁と内周壁の後部寄りから先端まで経線状に逆ハ型の８個の溝２を切り欠いて、その両サイドに刃３を形成し、後部内周壁に後記元部５のネジ６に着脱するネジ４を設ける。２．前記外刃１のネジ４に着脱するネジ６を外周壁に形成し、後記シャフト１３を通し、後記コイルバネ２０を内包して受け止める内周壁が筒状で凸型の軸穴７と外周壁に後記筒１５のネジ１７に着脱するネジ８を形成する外周壁が凸型の元部５を設ける。３．前記外刃１の内周壁に整合する外周壁に、前記溝２と整合するハ型の溝１０を８個を切り欠いて、その両サイドに刃１１を形成し、後記シャフト１３の他端を嵌合する軸穴１２を形成した回転刃９を設ける。４．一端に二重螺旋溝１４を形成し、他端を前記回転刃９に嵌合するシャフト１３を設ける。５．後記押棒２７の一端を突出するド−ナツ状の穴１６を後部壁面に、後部外周壁に板状のツマミ２８を形成し、後記リング２２の凸物２３と凸物２４を滑りながらリング２２の空回りを防止する凹溝１８と凹溝１９を対角線に中部内周壁から先部内周壁迄形成し、且つ、前記元部５のネジ８に着脱するネジ１７を先部内周壁に形成する筒１５を設ける。６．前記元部５が内包し受け止めるコイルバネ２０と前記筒１５に内包し、後記リング２２に作用するリタ−ンコイルバネ２１を設ける。７．前記シャフト１３の二重螺旋溝１４内を滑りながら捻り作用で、シャフト１３に回転と逆回転を起こす棒状の凸物２３と凸物２４を二重螺旋溝１４に垂直する角度で内周壁に形成し、前記筒１５の凹溝１８内と凹溝１９内を滑りながら上記した作用をする棒状の凸物２５と凸物２６を対角線に外周壁に形成するリング２２を設ける。８．一端は前記筒１５の穴１６に突出し、他端は前記リング２２の後部壁側面を押す中空の押棒２７を設ける。９．前記回転刃９の軸穴１２に前記シャフト１３の他端を嵌合する。１０．前記シャフト１３に前記コイルバネ２０を通して、前記元部５の軸穴７に挿入する。１１．前記シャフト１３に前記リターンコイルバネ２１を通してから、前記リング２２の凸物２３と凸物２４を二重螺旋溝１４内に個々に挿入する。１２．前記筒１５の凹溝１８内と凹溝１９内に前記シャフト１３に通した前記リング２２の凸物２５と凸物２６を挿入してから、ネジ１７を前記元部５のネジ８に取付ける。１３．前記外刃１のネジ４を前記元部５のネジ６に取付ける。１４．筒１５の凹溝１８内、凹溝１９内をリング２２が滑られる長さは、外刃１を元部５に取付けた時、外刃１の刃３と回転刃９の刃１１が重ね合う関係に設けられ、且つ、シャフト１３の二重螺旋溝１４のピッチと押棒２７の突出する一端と他端の長さは、回転刃９の回転角度が９０度になる関係に設ける。１５．外刃１、回転刃９、コイルバネ２０、リターンコイルバネ２１は金属製で設け、元部５、シャフト１３、筒１５、リング２２、押棒２７は金属製又は合成樹脂製で設ける。  上記の如く構成したことを特長とする鼻毛カット器。
【手続補正４】
【補正対象書類名】明細書
【補正対象項目名】００１２
【補正方法】変更
【補正の内容】
【００１２】  以下、上記構成の動作を説明する。先ず、片手の親指と中指でツマミの前後をはさみ、鼻孔の鼻毛を外刃と回転刃の溝に差し入れてから、人差し指で押棒の一端を押すことで他端はリング後部壁側面を押して、リングの外周壁の二つの凸物は筒の二筋の凹溝内を滑りし始める同時に内周壁の二つの凸物もシャフトの二重螺旋溝内を前滑りし始めるが、上記したようにリング内周壁の二つの凸物とシャフトの二重螺旋溝との作用関係とリング外周壁の二つの凸物と筒内周壁の二筋の凹溝との作用関係の相互作用関係により、リングは空回りせずにシャフトを回す同時に回転刃も回転し始め、溝に入っていた鼻毛をカットする。  押棒を目一杯押すと回転刃の回転も終わり、次に、人差し指を緩めるとリタ−ンコイルバネの反発力でリングは後滑りし始め上記した相互作用関係が逆相互作用関係で凹溝と二重螺旋溝内を後滑りしながらシャフトを逆に回す同時に回転刃は外刃に密着したまま逆回転をし、溝に入った鼻毛をカットする効果が得られるのである。なを、実施態様として、１．ツマミをリング状にして筒の後部外周壁に形成する。２．外刃の外周壁に滑り止めのギザギザを形成する。３．外刃の刃先を一部切り欠かないで少し残す。４．リングと押棒を一体に設ける等がある。
【手続補正５】
【補正対象書類名】明細書
【補正対象項目名】００１４
【補正方法】変更
【補正の内容】
【００１４】１：外刃  ２：溝  ３：刃  ５：元部  ９：回転刃  １０：溝  １３：シャフト  １４：二重螺旋溝  １５：筒  １６：穴  １８：凹溝  １９：凹溝  ２０：コイルバネ  ２１：リタ−ンコイルバネ  ２２：リング  ２３：凸物  ２４：凸物  ２５：凸物  ２６：凸物  ２７：押棒  ２８：ツマミ
【手続補正６】
【補正対象書類名】図面
【補正対象項目名】図８
【補正方法】変更
【補正の内容】
【図８】
2009011789.tif 000018